(57)【要約】【課題】  ＰＬＣモデムとカメラとを簡便に設置できるランプ用ソケット、そのランプ用ソケットを利用する照明器具、カメラ装置および監視カメラシステムを得る。【解決手段】  電灯線５の一線には、ＰＬＣ結合部１１により結合されている。このＰＬＣ結合部１１は、電灯線５の一線に情報を高周波成分として重畳する一方で、電灯線５の一線から情報を高周波成分として取り出す。ＰＬＣ結合部１１が電灯線５の一線に情報を高周波成分として重畳すると本体プラグ部６との間の電灯線５には商用周波数の交流に高周波が重畳される。【選択図】図１
2008148177.tif 000002
【特許請求の範囲】
【請求項１】
電灯線により電力供給を受けるランプ用ソケットであって、
該ソケットは、該電灯線を伝送路として通信するＰＬＣモデムとカメラとを備え、
該ＰＬＣモデムは該カメラからの撮像情報を高周波信号として該電灯線に重畳し、送信することを特徴とするランプ用ソケット。
【請求項２】
更に、他のランプ用ソケットに着脱可能なプラグを備え、該プラグを介して該電灯線と接続されることを特徴とする請求項１に記載のランプ用ソケット。
【請求項３】
請求項１または２のランプ用ソケットを備えたことを特徴とする照明器具。
【請求項４】
請求項１または２のランプ用ソケットを備えたことを特徴とするＰＬＣモデム一体型のカメラ装置。
【請求項５】
請求項１または２のランプ用ソケットと、該ランプ用ソケットに備えられたＰＬＣモデムが送信する撮像情報を受信する受信用ＰＬＣモデムと、該受信用ＰＬＣモデムが受信した該撮像情報を表示するモニタ装置とを備えることを特徴とする監視カメラシステム。
【発明の詳細な説明】
【技術分野】
【０００１】
本発明は、電力線搬送通信（Power Line Communication：ＰＬＣ）用のモデム（以下、ＰＬＣモデムという。）とカメラとを備えるランプ用ソケット、そのランプ用ソケットを利用する照明器具、カメラ装置および監視カメラシステムに関する。
【背景技術】
【０００２】
工場や店舗などで既設の監視システムについて、新たな配線経路の敷設を行うことなく、監視カメラからの撮像情報を既設の電力線を使い、送信する監視システムがある（特許文献１）。
【特許文献１】特開２００６−１６６２７２号公報
【発明の開示】
【発明が解決しようとする課題】
【０００３】
しかしながら、特許文献１では、監視カメラからの撮像情報をＰＬＣモデムにより送信するにあたり、ＰＬＣモデムと監視カメラとをどのように設置するのかの考慮がなされていない。本件の発明者は、ＰＬＣモデムとカメラとをランプ用ソケットに備えることでＰＬＣモデムとカメラを簡便に設置できる点に着目して、本発明を創作するに至った。本発明は、ＰＬＣモデムとカメラを簡便に設置できるランプ用ソケット、そのランプ用ソケットを利用する照明器具、カメラ装置および監視カメラシステムを提供することを目的とする。
【課題を解決するための手段】
【０００４】
第一の発明にかかるランプ用ソケットは、電灯線により電力供給を受けるランプ用ソケットであって、ソケットは、電灯線を伝送路として通信するＰＬＣモデムとカメラとを備え、ＰＬＣモデムはカメラからの撮像情報を高周波信号として電灯線に重畳し、送信することを特徴とする。
【０００５】
第一の発明によれば、ＰＬＣモデムとカメラとがランプ用ソケットに備えられているため、改めてＰＬＣモデムとカメラの設置場所を考慮しなくてもよく、別途、ＰＬＣモデムやカメラの収納場所を設ける必要がない。また、ＰＬＣモデムやカメラはランプ用ソケットの本体に含まれるため見栄えがよい。更に、カメラによる撮像範囲をランプにより照明するため、より鮮明な画像を得ることができる。加えて、ランプ用ソケットの設置場所が、人の身長よりも高所である場合には、この高所からカメラによって得られる撮像画像は視野が広く監視に適している。
【０００６】
第二の発明にかかるランプ用ソケットは、更に他のランプ用ソケットに着脱可能なプラグを備え、このプラグを介して電灯線と接続されることを特徴とする。
【０００７】
第二の発明によれば、他のランプ用ソケットに着脱できるので、簡便にＰＬＣモデム一体型のランプのソケットを設置でき、例えば、既存の照明器具のランプを取り付けるソケットに取り付ければ、新たな配線や器具の固定などを必要とせずに容易にカメラを設置できる。
【０００８】
第三の発明は上記のランプ用ソケットを備えた照明器具、第四の発明は同じくカメラ装置である。これらの発明によれば、容易に照明機能を有するカメラを設置することが可能になる。
【０００９】
第五の発明にかかる監視カメラシステムは、ランプ用ソケットに備えられたＰＬＣモデムが送信する撮像情報を受信する受信用ＰＬＣモデムと該受信用ＰＬＣモデムが受信した該撮像情報を表示するモニタ装置とを更に備えることを特徴とする。
【００１０】
第五の発明によれば、ＰＬＣモデムとカメラとがランプ用ソケットに備えられているため、ランプ用ソケットを監視カメラとして簡便に監視カメラシステムを構築できる。
【発明の効果】
【００１１】
本発明によれば、ＰＬＣモデムとカメラとがランプ用ソケットに備えられているため、ＰＬＣモデムとカメラの設置に際して、別の設置場所や配線敷設場所を確保しなくてもよい。このため簡便にＰＬＣモデムとカメラとを設置することができ、監視カメラシステムの構築などに利便性がある。
【発明を実施するための最良の形態】
【００１２】
以下、本発明の実施の形態について、図面を参照して詳細に説明する。また、異なる図面において同一または相応する符号を付した要素は、同一または相応する要素を示すものとする。
【００１３】
（ランプ用ソケット）
図１は、ＰＬＣモデムとカメラとがランプ用ソケットに備えられた図である。通常、このランプ用ソケットは、電球１が下向きに照らすように、天井（図示せず。）から下向きに設置されるものが多いが、特に限定はされない。また、このランプ用ソケットが壁（図示せず。）に設置される場合、電球１が横向きに照らすように、壁に沿って垂直に設置される。
【００１４】
本体２の外観において、本体ソケット部４とカメラカバー３は、電球１による照明範囲とＩＰカメラ８による撮像範囲を広げるために、本体２から突出するように配置されている。本体プラグ部６の端子（６１，６２）は、図４（ａ）の外部のコンセントに挿入することにより、単相二線式の１００Ｖで商用周波数５０Ｈｚまたは６０Ｈｚの交流電力を受ける。この交流電力は、図１の電灯線５を通じて、基板９上にある電源部（図示されていない。）に供給される。
【００１５】
電球１は本体ソケット部にねじ込まれると、本体ソケット部端子（４１，４２）に電気的に接続され、交流電力を受けた結果、発光する。なお、本体ソケット部端子（４１，４２）の間は、絶縁体４３により絶縁されている。
【００１６】
この単相二線式の電灯線５の一線には、ＰＬＣ結合部１１により結合されている。このＰＬＣ結合部１１は、電灯線５の一線に情報を高周波成分として重畳する一方で、電灯線５の一線から情報を高周波成分として取り出す。従って、ＰＬＣ結合部１１が電灯線５の一線に情報を高周波成分として重畳すると本体プラグ部６との間の電灯線５には商用周波数の交流に高周波が重畳される。なお、電球１のタイプによってはノイズを出す可能性があるならば、この高周波成分の情報の劣化を防ぐために、ＰＬＣ結合部１１と本体ソケット部端子４１，４２の間の電灯線５にローパスフィルタ１３を挿入してもよい。このローパスフィルタ１３は、図８のようにコイルとコンデンサとによってΠ型に接続される。
【００１７】
（カメラ）
図１では、カメラとしてＩＰカメラ８を用いた例を示す。カメラカバー３の内部にはＩＰカメラ８が設置されており、カメラカバー３の内部から外部へは透視できる。ＩＰカメラ８はイーサネット（登録商標）のインタフェースを有しているので、ＲＪ−４５コネクタ１０に接続される。そして、ＩＰカメラ８の撮像画像の情報は、Ｍｏｔｉｏｎ  ＪＰＥＧなどに画像圧縮されＩＰｖ６プロトコルの下、このＲＪ−４５コネクタ１０を介してＰＬＣ処理部１２に送信される。
【００１８】
ＩＰカメラ８は、市販のＩＰカメラ（松下電器製ＢＢ−ＨＣＭ４０３）などが利用される。また、ＩＰカメラではなく、例えば、ビデオカメラを接続したりして、ビデオ信号をＭＰＥＧ２エンコーダなどによりアナログ／デジタル変換して、送信を行うように構成することも可能であり、ＰＬＣモデムと接続可能な構成にすればカメラの種類は限定されない。
【００１９】
ＩＰカメラ８のレンズに魚眼レンズを用いると、一層、撮像の視野が広がり、監視カメラなどの用途に好ましく用いられる。また、ＩＰカメラ８を２台用いるとステレオ画像を入手でき、撮像対象物の測距も可能になる。
【００２０】
（ＰＬＣモデム）
図１のＰＬＣ処理部１２の動作について、図５のブロック図を用いて説明をする。入出力処理部１２１は、ＲＪ−４５コネクタ１０との信号線（図示せず。）を介してＩＰカメラ８と通信を行うための入出力インタフェースである。
【００２１】
電灯線８に撮像情報を送信する場合、コントロール回路部１２２は、送信回路部１２３からＰＬＣ結合部１１へ撮像情報を送信できるように送受信スイッチ回路部１２５をスイッチする。電灯線８からＩＰカメラ８の制御情報などを受信する場合、コントロール回路部１２２は、ＰＬＣ結合部１１から受信回路部１２４へ情報を受信できるように送受信スイッチ回路部１２５をスイッチする。
【００２２】
また、撮像情報を送信する場合、送信回路部１２３は、デジタルデータを変調し、更にＤＡ変換を行う。制御情報などを受信する場合、受信回路部１２４は、ＡＤ変換を行い、更にデジタルデータに復調する。
【００２３】
（その他のランプ用ソケット）
図２と図３のランプ用ソケットと図１のランプ用ソケットとは基本的な構成は同じである。異なる部分は、本体プラグ部６の形状である。即ち、図２の本体プラグ部６は、図４（ｂ）のソケットにプラグをねじ込むことにより電気的に接続する形状である。図３の本体プラグ部６は、図４（ｃ）のソケットにプラグを挿入し、かつ、回し込むことにより電気的に接続する形状である。なお、プラグとソケットの形状は、電気的に接続でき物理的に固定できる形状であれば、これらの形状に限定されない。
【００２４】
（照明器具）
図６（ａ）は、照明器具の図であって、図１乃至図３のランプ用ソケットの本体２に電球１をねじ込み、更に、この本体２にカサ３００を被せた図である。
この場合、電球１が発光する光が直接ＩＰカメラ８の内部に侵入すると、ＩＰカメラ８の内部のレンズ（図示せず）において乱反射をするため画像が劣化する場合もある。この画像の劣化を避けるべく、ランプ用ソケットの本体２において電球１とカメラカバー３の間に光遮蔽板を設けてもよいし、カメラカバー３の透過率を下げる材質で構成してもよい。
【００２５】
図６（ｂ）は、図６（ａ）の比較例である。上記のように光を遮蔽するために、図６（ａ）の照明器具において、ＲＪ−４５コネクタ１０から信号線２００を引き延ばし、ＩＰカメラ８をカサ３００の外に取付金具２１０により取り付け、カサ３００が電球１の光を遮断できる位置にＩＰカメラ８を設置してもよい。この比較例は、電球１が発光する光をカサ３００により遮る一例であるに過ぎない。
【００２６】
（監視カメラシステム）
図７は、監視カメラシステムの一例である。配電線５００に図１乃至図３のランプ用ソケットの本体２を設置する。図７において、ランプ用ソケットの本体２の個数は３個であるが、１個でもよいし、４個以上であっても何等差し支えない。なお、図６（ａ）または（ｂ）の照明器具を設置してもよい。
【００２７】
パソコン５４０は、ＰＬＣモデム５２０を介して配電線５００のコンセント５１０に接続される。パソコン５４０は、ランプ用ソケットの本体２からの撮像画像をモニタとして表示でき、ランプ用ソケットに備えられたＩＰカメラ８（図１乃至３）の視野の制御などをすることもできる。撮像画像をモニタとして表示する場合、ＰＬＣモデム５２０は配電線５００からの高周波信号を受信する受信機として働き、ＩＰカメラ８の視野の制御などをする場合、ＰＬＣモデム５２０は配電線５００へ高周波信号を送信する送信機として働く。
【００２８】
監視カメラシステムの用途としては、工場内の製造ラインや店舗内の売り場の監視などの他、夜間街路の防犯のための監視システムや道路上の特定車両の追跡システムなどが考えられる。
【００２９】
今回開示された実施の形態はすべての点で例示であって制限的なものではないと考えられるべきである。本発明の範囲は、上記の意味ではなく、特許請求の範囲によって示され、特許請求の範囲と均等の意味および範囲内でのすべての変更が含まれることが意図される。
【図面の簡単な説明】
【００３０】
【図１】本発明実施の形態にかかるランプ用ソケットの構成を示す模式図である。
【図２】本発明実施の形態にかかるランプ用ソケットの構成を示す模式図である。
【図３】本発明実施の形態にかかるランプ用ソケットの構成を示す模式図である。
【図４】本発明実施の形態にかかるランプ用ソケットが備えるプラグが接続する他のソケットの正面図である。
【図５】本発明実施の形態にかかるランプ用ソケットの内部のブロック図である。
【図６】本発明実施の形態にかかるランプ用ソケットを利用する照明器具の図である。
【図７】本発明実施の形態にかかるランプ用ソケットを利用する監視システムを表す模式図である。
【図８】ローパスフィルタを表す模式図である。
【符号の説明】
【００３１】
１            電球
２            本体
３            カメラカバー
４            本体ソケット部
４１，４２    本体ソケット部端子
４３          絶縁部
５            電灯線
６            本体プラグ部
６１，６２    本体プラグ部端子
６３          絶縁部
７            外部ソケット部
７１，７２    外部ソケット部端子
７３          絶縁部
８            ＩＰカメラ
９            基板
１０          ＲＪ−４５コネクタ
１１          ＰＬＣ結合部
１２          ＰＬＣ処理部
１２１        入出力処理部
１２２        コントロール回路部
１２３        送信回路部
１２４        受信回路部
１２５        送受信スイッチ回路部
１３          ローパスフィルタ
１３１        コイル（リアクタンス）
１３２        コンデンサ（キャパシタンス）
２００        信号線
２１０        取付金具
３００        カサ
４００        天井
４１０        コネクタ
４２０        電灯線
５００        配電線（電灯線）
５１０        コンセント
５２０        ＰＬＣモデム
５３０        プラグ
５４０        パソコン
【図１】
2008148177.tif 000003
【図２】
2008148177.tif 000004
【図３】
2008148177.tif 000005
【図４】
2008148177.tif 000006
【図５】
2008148177.tif 000007
【図６】
2008148177.tif 000008
【図７】
2008148177.tif 000009
【図８】
2008148177.tif 000010